(57)【要約】【課題】縁無し印刷時に、用紙先端汚れ及び用紙先端部の画像欠陥を抑制することができる画像形成装置を提供する。【解決手段】画像デ−タに基づいて記録媒体の各辺に対して余白を設けることなくトナー像を形成する画像形成手段と、記録媒体の各辺の一定領域ごとに画像データの画像密度を算出する画像密度算出手段と、算出された画像密度が一定以上の場合は、当該辺が記録媒体の搬送方向先端側にならないように画像データを一定角度回転させる画像データ回転手段と、同一サイズの一方向のトレイから同一サイズの異方向のトレイに切替えるトレイ切換え手段と、を備えた。【選択図】図６
2017106996.tif 000002
【特許請求の範囲】
【請求項１】
画像デ−タに基づいて記録媒体の各辺に対して余白を設けることなくトナー像を形成する画像形成手段と、
前記記録媒体の前記各辺の一定領域ごとに前記画像データの画像密度を算出する画像密度算出手段と、
算出された前記画像密度が一定以上の場合は、当該辺が前記記録媒体の搬送方向先端側にならないように前記画像データを一定角度回転させる画像データ回転手段と、を備えた、
ことを特徴とする画像形成装置。
【請求項２】
前記画像データ回転手段は、算出された前記画像密度の最も低い一辺を前記記録媒体の搬送方向における先端側に回転する、
ことを特徴とする請求項１に記載の画像形成装置。
【請求項３】
同一サイズの一方向のトレイから同一サイズの異方向のトレイに切替えるトレイ切換え手段を更に備え、前記トレイ切換え手段は、前記画像密度に基づいて前記画像データが９０度回転され、異方向のトレイに同一サイズの前記記録媒体が存在する場合には前記異方向のトレイを選択する、
ことを特徴とする請求項１又は２に記載の画像形成装置。
【請求項４】
前記異方向のトレイに同一サイズの前記記録媒体が無い場合には前記記録媒体の補給を促す表示を行う、
ことを特徴とする請求項３に記載の画像形成装置。
【請求項５】
前記異方向のトレイに同一サイズの前記記録媒体が無い場合には前記画像データを他の画像形成装置へ転送する、
ことを特徴とする請求項３に記載の画像形成装置。
【発明の詳細な説明】
【技術分野】
【０００１】
本発明は、画像形成装置に関する。
【背景技術】
【０００２】
用紙が収容された用紙カセットと、時計回りおよび反時計回りに回転自在に設けられ、用紙カセットに収容された用紙を第１の方向またはこれとは反対の第２の方向から一枚ずつ取り出すフィード用ローラと、第１の方向から延びて主搬送路につながって形成され、用紙カセット内の用紙を主搬送路に案内する第１の搬送路と、第２の方向から延びて主搬送路につながって形成され、第１の搬送路で搬送された用紙とは用紙カセット内での面の向きと反対の面の向きとなるようにして用紙を主搬送路に案内する第２の搬送路と、主搬送路上に設置され、所定の速度で回転して外周面に形成されたトナー像を用紙上に転写する転写体と、フィード用ローラの回転方向を制御して用紙カセット内の用紙を第１の搬送路または第２の搬送路の何れかを経由して主搬送路に案内し、用紙の何れの面を印刷面にするかを選択する印刷面選択手段とを有するプリンタが知られている（特許文献１）。
【０００３】
複数の像坦持体に形成される静電潜像を、現像手段から供給される現像剤により可視像化し、この可視像を中間転写体に転写する画像形成装置における転写方法において、中間転写体に転写される可視像の転写数と画像密度とによって、中間転写体に対する可視像の転写開始位置を異ならせる画像形成装置における転写方法も知られている（特許文献２）。
【先行技術文献】
【特許文献】
【０００４】
【特許文献１】特開平１１−１５２２０号公報
【特許文献２】特開２００２−１６９３４４号公報
【発明の概要】
【発明が解決しようとする課題】
【０００５】
本発明は、縁無し印刷時に、用紙先端汚れ及び用紙先端部の画像欠陥を抑制することができる画像形成装置を提供する。
【課題を解決するための手段】
【０００６】
前記課題を解決するために、請求項１に記載の画像形成装置は、
画像デ−タに基づいて記録媒体の各辺に対して余白を設けることなくトナー像を形成する画像形成手段と、
前記記録媒体の前記各辺の一定領域ごとに前記画像データの画像密度を算出する画像密度算出手段と、
算出された前記画像密度が一定以上の場合は、当該辺が前記記録媒体の搬送方向先端側にならないように前記画像データを一定角度回転させる画像データ回転手段と、を備えた、
ことを特徴とする。
【０００７】
請求項２記載の発明は、請求項１に記載の画像形成装置において、
前記画像データ回転手段は、算出された前記画像密度の最も低い一辺を前記記録媒体の搬送方向における先端側に回転する、
ことを特徴とする。
【０００８】
請求項３記載の発明は、請求項１又は２に記載の画像形成装置において、
同一サイズの一方向のトレイから同一サイズの異方向のトレイに切替えるトレイ切換え手段を更に備え、前記トレイ切換え手段は、前記画像密度に基づいて前記画像データが９０度回転され、異方向のトレイに同一サイズの前記記録媒体が存在する場合には前記異方向のトレイを選択する、
ことを特徴とする。
【０００９】
請求項４記載の発明は、請求項３に記載の画像形成装置において、
前記異方向のトレイに同一サイズの前記記録媒体が無い場合には前記記録媒体の補給を促す表示を行う、
ことを特徴とする。
【００１０】
請求項５記載の発明は、請求項３に記載の画像形成装置において、
前記異方向のトレイに同一サイズの前記記録媒体が無い場合には前記画像データを他の画像形成装置へ転送する、
ことを特徴とする。
【発明の効果】
【００１１】
請求項１に記載の発明によれば、縁無し印刷時に、画像密度の高い一辺を記録媒体の搬送方向における先端側にならないように回転する制御を行わない構成に比して、用紙先端汚れ及び用紙先端部の画像欠陥を抑制することができる。
請求項２に記載の発明によれば、画像密度の最も低い一辺を記録媒体の搬送方向における先端側に位置させることができる。
請求項３に記載の発明によれば、９０度回転された画像に合わせた用紙を選択することができる。
請求項４に記載の発明によれば、９０度回転された画像に合わせた用紙の使用を促すことができる。
請求項５に記載の発明によれば、９０度回転された画像に合わせた用紙を収容した画像形成装置を選択することができる。
【図面の簡単な説明】
【００１２】
【図１】画像形成装置１の内部構成を示す断面模式図である。
【図２】画像形成装置１の機能構成の一例を示すブロック図である。
【図３】（ａ）は縁無し印刷、（ｂ）は縁有り印刷を説明する図である。
【図４】縁無し印刷時のトナー像形成を説明する図である。
【図５】定着ニップ部Ｎの出口における用紙Ｐの剥離状態の実験結果の一例を示す図である
【図６】画像形成装置１における動作の流れを示すフローチャートである。
【図７】変形例１に係る画像形成装置１Ａの動作の流れを示すフローチャートである。
【図８】変形例２に係る画像形成装置１Ｂの動作の流れを示すフローチャートである。
【図９】２辺縁無し印刷時に用紙を含めた画像回転を行う例を示す模式図である。
【図１０】４辺縁無し印刷時に用紙の回転を伴わない画像回転を行う例を示す模式図である。
【発明を実施するための形態】
【００１３】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１４】
（１）画像形成装置１の全体構成及び動作
図１は本実施形態に係る画像形成装置１の内部構成を示す断面模式図である。
以下、図面を参照しながら、画像形成装置１の全体構成及び動作を説明する。
【００１５】
（１．１）画像形成装置１の全体構成
画像形成装置１は、画像形成部１０と、画像形成部１０の底部に装着された給紙装置２０と、操作情報部３０と、画像処理部４０と、を備えて構成されている。
【００１６】
画像形成部１０は、システム制御装置１１、露光装置１２、感光体ユニット１３、現像装置１４、転写装置１５、定着装置１６、を備えて構成され、画像処理部４０から受け取った画像データを給紙装置２０から送り込まれた用紙Ｐ上にトナー像として形成する。
【００１７】
画像形成部１０の底部には、用紙トレイ２１、２２を有する給紙装置２０が設けられ、更に給紙装置２０の下方には、上下方向に多段（本実施形態においては２段）に配置され、用紙Ｐを収容する用紙トレイＴ１、Ｔ２からなるトレイモジュールＴＭが接続されて画像形成部１０に対する用紙供給を行う。
すなわち、種類（例えば、材質や厚さ、用紙サイズ、紙目）の異なる用紙を収容する複数のトレイを備えており、これら複数のトレイのいずれか一つから繰り出した用紙を画像形成部１０に対して供給するように構成されている。
【００１８】
操作情報部３０は、いわゆるユーザインタフェースに相当するもので、具体的には液晶表示パネル、各種操作ボタン、タッチパネル等を組み合わせて構成され各種の設定や指示の入力及び情報表示に用いられる。
【００１９】
画像処理部４０は、外部機器８２（図２に図示：例えばパーソナルコンピュータ等）から送信された印刷情報から画像データを生成する。
【００２０】
（１．２）画像形成部１０の構成及び動作
このような構成の画像形成装置１では、画像形成のタイミングに合わせて給紙装置２０又はトレイモジュールＴＭのうち、印刷ジョブで印刷の１枚毎に指定されたトレイから繰り出された用紙Ｐが画像形成部１０へ送り込まれる。
【００２１】
感光体ユニット１３は、給紙装置２０の上方（Ｚ方向）に、それぞれが並列して設けられ、回転駆動する感光体ドラム１３１を備えている。露光装置１２により静電潜像が形成されたそれぞれの感光体ドラム１３１上には、それぞれの現像装置１４によってイエロー（Ｙ）、マゼンタ（Ｍ）、シアン（Ｃ）、黒（Ｋ）のトナー像が形成される。
【００２２】
各感光体ユニット１３の感光体ドラム１３１に形成された各色トナー像は、転写装置１５の中間転写ベルト１５１上に順次静電転写（一次転写）され、各色トナーが重畳された重畳トナー像が形成される。中間転写ベルト１５１上の重畳トナー像は、レジストローラ対２４から送り出され、搬送ガイドにより案内された用紙Ｐに二次転写ローラ１５２によって一括転写される。  
【００２３】
定着装置１６は一対の加熱モジュール１６１と加圧モジュール１６２の圧接領域によって定着ニップ部Ｎ（定着領域）が形成される。
転写装置１５においてトナー像が一括転写された用紙Ｐは、トナー像が未定着の状態で搬送ガイド１５３を介して定着装置１６の定着ニップ部Ｎに搬送され、一対の加熱モジュール１６１と加圧モジュール１６２により、圧着と加熱の作用でトナー像が定着される。
【００２４】
定着トナー像が形成された用紙Ｐは、切替ゲートＧ１にガイドされ、第１排出ローラ対１６３から画像形成装置１上面の排紙トレイ部ＴＲ１に排出・収容される。また、両面印刷のために反転したり、画像記録面を上側にして排出する場合は、切替ゲートＧ１で搬送路１６５に向って搬送方向が切り替えられる。
【００２５】
（２）画像形成装置１の機能構成と動作
図２は画像形成装置１の機能構成の一例を示すブロック図、図３（ａ）は縁無し印刷、（ｂ）は縁有り印刷を説明する図、図４は縁無し印刷時のトナー像形成を説明する図、図５は定着ニップ部Ｎの出口における用紙Ｐの剥離状態の実験結果の一例を示す図である。
【００２６】
（２．１）システム制御装置の機能構成
画像形成装置１は、画像出力制御部１１１、縁無し有無判別部１１２、画像密度算出部１１３、画像データ回転部１１４、トレイ切替部１１５、電源制御部１１６、露光制御部１１７、定着温度制御部１１８を含むシステム制御装置１１を備え、メモリに記憶された制御プログラムを実行して、画像形成装置１全体の動作制御を行う。
【００２７】
画像出力制御部１１１は、給紙装置２０との間の情報授受についての制御の他に、画像形成部１０が備える露光装置１２、感光体ユニット１３、現像装置１４、転写装置１５、定着装置１６等に対して、動作制御指示を与える。
又、画像出力制御部１１１は、システム制御装置１１が備える電源制御部１１６、露光制御部１１７、定着温度制御部１１８に対して、それぞれ動作制御指示を与える。すなわち、画像形成部１０を構成する露光装置１２、感光体ユニット１３、現像装置１４、転写装置１５、定着装置１６等への給電、駆動を行うか否かを決定し、その決定結果をそれぞれの制御部に対して指示する。
【００２８】
更に、画像出力制御部１１１は、縁無し有無判別部１１２、画像密度算出部１１３、画像データ回転部１１４、トレイ切替部１１５との間の情報授受を行い、縁無し印刷が判断された場合に、予め定められた動作制御を行う。
【００２９】
縁無し有無判別部１１２は、受け入れた画像データの用紙Ｐに対する周辺余白の有無を検出して縁無し印刷か縁あり印刷かを判別する。
図３（ａ）に模式的に示すように、縁あり印刷時には、トナー像は用紙Ｐ内に全て収まり、用紙Ｐの周辺に上余白（ｍｈ）・下余白（ｍｂ）・左余白（ｍｌ）・右余白（ｍｒ）の周辺余白が存在する。
これに対し縁無し印刷は、図３（ｂ）に示すように、トナー像が用紙Ｐの端部にまで達しており、周辺余白がなくなる。図３（ｂ）においては、上余白・下余白・左余白・右余白のすべてがない状態を図示してあるものの、一部の端部に余白がなければ縁無し印刷と判断する。
【００３０】
画像密度算出部１１３は、画像データを受け入れて、例えば画素数（静電潜像上の画素数でもよい）をトナーの色ごとに算出して、記録媒体に対する画像の密度を算出し、画像密度の算出結果を画像出力制御部１１１に対して出力する。
本実施形態における画像密度算出部１１３は、用紙Ｐの搬送方向及び搬送方向と直交する方向で各辺の予め定められた領域ごとに積算された画像量（ピクセルカウント数）に基づいて「平均画像密度Ａ１」と「最大画像密度Ａ２」を算出して画像出力制御部１１１のＲＡＭの所定領域に格納する。
【００３１】
画像データ回転部１１４は、受け入れた画像データを例えば９０°／１８０°／２７０°回転のように画像データを一定角度回転する。
【００３２】
トレイ切替部１１５は、画像データ回転部１１４の画像データ回転に伴って、複数のトレイに同一サイズの用紙Ｐが存在する場合に、現在選択されているトレイとは異方向のトレイを選択する。
また、異方向のトレイがない場合には、予め定めた設定に応じて、高い自由度で複数種類の用紙Ｐを供給することができる手差しトレイを選択する。
【００３３】
（２．２）縁無し印刷
画像形成装置１は、用紙Ｐの端部の全周に渡って余白部を設けて画像を印刷する縁あり印刷モードと、余白部を設けず用紙Ｐの端部に至るまで画像を印刷する縁無し印刷モードを有している。
尚、縁無し印刷モードの有無は、画像形成装置１の動作を制御するシステム制御装置１１の縁無し有無判別部１１２により判断される。
【００３４】
図４（ａ）は中間転写ベルト１５１上に形成されるトナー像サイズを表しており、縦はＩｖ、横はＩｈである。また、図４（ｂ）は用紙Ｐのサイズを表しており、縦はＰｖ、横はＰｈである。
トナー像と用紙Ｐのサイズ関係は図４（ｃ）に模式的に示すように、Ｐｖ＜Ｉｖ、Ｐｈ＜Ｉｈとなるように設定される。つまり、用紙Ｐが前後左右に少々ずれて給紙されても、用紙Ｐに余白が生じることがないように、トナー像のサイズは選択されている用紙サイズより若干大きくなるように形成される。
【００３５】
中間転写ベルト１５１上には、網点で示したＩｖ×Ｉｈサイズのトナー像が形成される。Ｉｖ×Ｉｈサイズのトナー像は、中間転写ベルト１５１により、二次転写部ＴＲへ向かって搬送される。一方、用紙Ｐは、レジストローラ対２４によってタイミング制御され、トナー像が二次転写部ＴＲに進入するのに合わせて二次転写部ＴＲに搬送され、用紙Ｐ上には周縁部に余白のない縁無しトナー像が形成される。
【００３６】
余白のない縁無しトナー像が形成された用紙Ｐは、定着装置１６の定着ニップ部Ｎで熱と圧力で用紙Ｐ上に固定される。トナー像が定着された用紙Ｐは、定着ニップ部Ｎの出口で加熱モジュール１６１側から剥離されて排出ローラ対１６９から画像形成装置１上面の排出トレイ１ａに排出されるが、縁無しトナー像が形成された用紙Ｐは、用紙先端部が加熱モジュール１６１側に貼り付いて先端部に用紙ダメージが発生したり剥離不良で用紙ジャムが発生する虞があった。
【００３７】
図５にはこのような定着ニップ部Ｎの出口における用紙Ｐの剥離状態の実験結果の一例を示している。本実験において、画像密度「高」は２００％〜２４０％（二次色、多次色）、画像密度「中」は１００％〜１５０％（単色、二次色）、画像密度「低」は５０％以下（単色）を示し、用紙種類としての「薄紙」は坪量８０ｇｓｍ以下、用紙種類「上質紙」は坪量１２７〜１５７ｇｓｍ、用紙種類「厚紙」は坪量１６０ｇｓｍ以上を示している。
【００３８】
本実験結果によれば、先端余白が４ｍｍであれば、画像密度条件、用紙厚さによらず、良好に剥離できる結果（図中Ｇ）となった。
一方、先端余白が０ｍｍ、すなわち縁無し印刷の場合には、画像密度が「高」では薄紙及び上質紙で剥離不良が発生し（図中Ｒ）、画像密度が「中」の場合には、薄紙で剥離不良が発生し（図中Ｒ）、上質紙で先端部に画像ダメージが発生（図中Ｙ）する結果となった。
【００３９】
（３）縁無し印刷時の動作
図６は画像形成装置１における動作の流れを示すフローチャートである。
以下、図面を参照しながら縁無し印刷時の動作制御について説明する。
【００４０】
本実施形態に係る画像形成装置１においては、受けつけた印刷ジョブが縁無し印刷モードと判断されると、画像密度算出部１１３で用紙各辺の予め定められた領域における画像密度を算出し、用紙Ｐの搬送方向における先端辺の画像密度が他の各辺よりも高い場合には、画像データ回転部１１４が画像データを回転する。
回転された画像データに対して、各用紙トレイに収容された用紙Ｐから搬送方向が一致する用紙Ｐを選択して画像印刷を行う。
【００４１】
システム制御装置１１は、印刷ジョブを受取ると、縁無し有無判別部１１２で受け付けた印刷ジョブが縁無し印刷か縁あり印刷かを判別する（Ｓ１０１）。具体的には、用紙Ｐの周辺に上余白（ｍｈ）・下余白（ｍｂ）・左余白（ｍｌ）・右余白（ｍｒ）の周辺余白が存在するか否かを検知して、一部の端部に余白がなければ縁無し印刷と判断する。
【００４２】
ステップ１０１で、縁無し印刷モードと判別された場合、さらに用紙搬送方向における先端側（先端辺）に余白があるか否かが判断される（Ｓ１０２）。先端辺に余白がある場合（Ｓ１０２：Ｙｅｓ）には、画像データを回転することなく、そのまま印刷が開始される。
ステップ２で先端辺に余白が無いと判断された場合（Ｓ１０２：Ｎｏ）、画像密度算出部１１３で用紙各辺の一定領域における画像密度が算出される（Ｓ１０３）。画像密度は、定められた領域における「平均画像密度Ａ１」と「最大画像密度Ａ２」が算出され、一時的にＲＡＭに記憶される。
【００４３】
用紙各辺の算出された「平均画像密度Ａ１」のうち、先端辺の「平均画像密度Ａ１」が最も高いか否か判断される（Ｓ１０４）。先端辺の「平均画像密度Ａ１」が他の各辺に比して最も高い場合（Ｓ１０４：Ｙｅｓ）、画像データ回転部１１４で画像データを回転する（Ｓ１０５）。ここで、用紙各辺の算出された「平均画像密度Ａ１」に明確な差が無い場合には、「最大画像密度Ａ２」の高低が比較される。更に、「最大画像密度Ａ２」は各辺の先端部により近い位置に存在するか否かが比較される。
その結果、先端辺の「最大画像密度Ａ２」が他の各辺に比して最も高い場合（Ｓ１０４：Ｙｅｓ）、画像データ回転部１１４で画像データを回転する（Ｓ１０５）。
なお、全ての辺の先端部で「平均画像密度Ａ１」及び「最大画像密度Ａ２」に差がない場合(ベタ画像など)、画像データを回転させずに搬送しても良い。
【００４４】
次に、画像データが回転された場合（Ｓ１０５）、先端辺の短辺と長辺とが入れ替わったか否か、すなわち、短辺であった先端辺が長辺に変更された、或いは、長辺であった先端辺が短辺に変更されたか否かが判断される（Ｓ１０６）。
画像データの先端辺を回転して変更する場合、当初の先端辺より「平均画像密度Ａ１」及び「最大画像密度Ａ２」が低い辺が複数ある場合、予め定めた設定に応じて、回転する先の辺を決めて良い。例えば、先端辺の短辺と長辺との入れ替わりはしないことを優先する場合などが挙げられる。
【００４５】
ステップ１０６で先端辺の短辺と長辺が変更されたと判断された場合（Ｓ１０６：Ｙｅｓ）、トレイ切替部１１５で現在選択されているトレイとは異方向のトレイに同一サイズの用紙Ｐが収容されているか否か判断される（Ｓ１０７）。異方向のトレイに同一サイズの用紙Ｐが収容されている場合には、現在選択されているトレイから異方向のトレイに切り替えて（Ｓ１０８）画像印刷を行う。
【００４６】
ステップ１０７で異方向のトレイに同一サイズの用紙Ｐが収容されていないと判断された場合（Ｓ１０７：Ｎｏ）、システム制御装置１１は操作情報部３０を介して、異方向のトレイに用紙Ｐの補給を促す表示を行う（Ｓ１０９）。
また、異方向のトレイへの用紙Ｐの補給に代えて、手差しトレイを選択して異方向の用紙Ｐの給紙を促してもよい。また、手差しトレイを選択した際には、より坪量の高い用紙Ｐを用いて定着ニップ部Ｎにおいて確実に用紙剥離を行うことができる。
【００４７】
さらに、用紙搬送路内のレジストローラ対２４（図１に図示）の上流側に用紙回転部２３（不図示）を備えている場合には、用紙回転部２３で給紙装置２０から給紙された用紙Ｐを９０度回転させても良い。
【００４８】
その結果、印刷ジョブが縁無し印刷モードであった場合であっても、画像密度のより低い辺を先端辺として、定着ニップ部Ｎおいて確実に用紙剥離が実行でき用紙先端汚れ及び用紙先端部の画像欠陥を抑制することができる。
【００４９】
「変形例１」
図７は変形例１に係る画像形成装置１Ａの動作の流れを示すフローチャートである。
変形例１においては、縁無し印刷モードで画像が回転された場合で、異方向のトレイが無く、かつ、手差しトレイが無い場合に、回転された画像データを他の画像形成装置へ転送するように制御する。従って、受けつけた印刷ジョブが縁無し印刷モードと判断されてから、画像データが回転されるまでの動作制御は、第１実施形態と同一であるために、それ以降の動作制御について説明する。
【００５０】
画像形成装置１Ａにおいては、画像データが回転され（Ｓ２０５）、先端辺の短辺と長辺が変更された場合（Ｓ２０６：Ｙｅｓ）、トレイ切替部１１５で現在選択されているトレイとは異方向のトレイに同一サイズの用紙Ｐが収容されているか否か判断される（Ｓ２０７）。
ステップ２０７で異方向のトレイに同一サイズの用紙Ｐが収容されていないと判断された場合（Ｓ２０７：Ｎｏ）、システム制御装置１１は通信回線８１を介して、異方向のトレイに同一サイズの用紙Ｐが収容されている他の画像形成装置へ回転された画像データを転送し（Ｓ２０８）、他の画像形成装置で画像印刷を行う。
【００５１】
「変形例２」
図８は変形例２に係る画像形成装置１Ｂの動作の流れを示すフローチャートである。
変形例２においては、縁無し印刷モードで先端辺の「平均画像密度Ａ１」が他の各辺に比して最も高い場合（Ｓ３０４：Ｙｅｓ）、画像テータは回転せず、両面印刷モードに切り替えて用紙Ｐの第２面（裏面）に画像データを印刷する。
その結果、「平均画像密度Ａ１」が他の各辺に比して最も高い先端辺は、第２面に転写され、用紙Ｐの搬送方向において後端側となり、定着ニップ部Ｎにおいて確実に用紙剥離が実行でき用紙先端汚れ及び用紙先端部の画像欠陥を抑制することができる。
【００５２】
「実施例」
図９は２辺縁無し印刷時に用紙を含めた画像回転を行う例を示す模式図、図１０は４辺縁無し印刷時に用紙の回転を伴わない画像回転を行う例を示す模式図である。
【００５３】
図９に模式的に示すように、受け付けた印刷ジョブに含まれる画像データが用紙Ｐに対して長辺が縁無し、短辺が縁ありの場合、縁無し有無判別部１１２は４辺のうち短辺に余白がないため縁無し印刷と判断する。
そして、画像密度算出部１１３で用紙各辺の予め定められた領域における「平均画像密度Ａ１」と「最大画像密度Ａ２」が算出され、一時的にＲＡＭに記憶される。
【００５４】
その結果、用紙搬送方向における先端辺（長辺）における「平均画像密度Ａ１」が他の各辺における「平均画像密度Ａ１」よりも高いために、「平均画像密度Ａ１」が低い短辺を先端辺にするべく画像データは画像データ回転部１１４で９０度回転され、トレイ切替部１１５で異方向のトレイ（Ａ４縦）に切り替えて画像印刷を行う。
【００５５】
図１０に示すように、受け付けた印刷ジョブに含まれる画像データが用紙Ｐに対して４辺のいずれもが縁無しの場合、縁無し有無判別部１１２は４辺縁無し印刷と判断する。
そして、画像密度算出部１１３で用紙各辺の予め定められた領域における「平均画像密度Ａ１」と「最大画像密度Ａ２」が算出され、一時的にＲＡＭに記憶される。
【００５６】
その結果、用紙搬送方向における先端辺（短辺）における「平均画像密度Ａ１」が他の各辺における「平均画像密度Ａ１」よりも高いために、「平均画像密度Ａ１」が低い後端辺を先端辺にするべく画像データは画像データ回転部１１４で１８０度回転され、現在選択されているトレイ（Ａ４縦）から給紙して画像印刷を行う。
【符号の説明】
【００５７】
１・・・画像形成装置
１０・・・画像形成部
１１・・・システム制御装置
１１１・・・画像出力制御部
１１２・・・縁無し有無判別部
１１３・・・画像密度算出部
１１４・・・画像データ回転部
１１５・・・トレイ切替部
１１６・・・電源制御部
１１７・・・露光制御部
１１８・・・定着温度制御部
１２・・・露光装置
１３・・・感光体ユニット
１４・・・現像装置
１５・・・転写装置
１６・・・定着装置
２０・・・給紙装置
３０・・・操作情報部
４０・・・画像処理部
Ｐ・・・用紙
Ｎ・・・定着ニップ部
【図１】
2017106996.tif 000003
【図２】
2017106996.tif 000004
【図３】
2017106996.tif 000005
【図４】
2017106996.tif 000006
【図５】
2017106996.tif 000007
【図６】
2017106996.tif 000008
【図７】
2017106996.tif 000009
【図８】
2017106996.tif 000010
【図９】
2017106996.tif 000011
【図１０】
2017106996.tif 000012